(57)【要約】【課題】投射用のレンズを遮ることなくズーム調整を容易に行えるようにして操作性の向上を図る。【解決手段】プロジェクター１０は、筐体１２の前面部１２ａに投射レンズ１３を配置する一方、天面部１２ｂに開口１２ｃを設け、開口１２ｃ内にズーム調整用のズームツマミ１４ａと、ズームツマミ１４ａの周囲に複数の操作キー（上下左右キー、決定キーなど）１９ａ〜１９ｄを配置する。投射レンズ１３を納めた鏡筒ユニットは筐体１２で覆われているため、外部からの衝撃に対して筐体１２で確実に保護した上で、投射レンズ１３を遮ることなく容易にズーム調整を行える。また、各操作キー１９ａ〜１９ｄがズームツマミ１４ａと近いので、キー操作を行いながらズームツマミ１４ａでズーム調整を行える。【選択図】図１
2007187798.tif 000002
【特許請求の範囲】
【請求項１】
投射用のレンズを移動可能に納めており、該レンズの移動に伴ってレンズの光軸方向に変位する突起を有する鏡筒ユニットと、該突起に連係してある操作部と、前記鏡筒ユニットを覆う筐体とを備えるプロジェクターにおいて、
前記筐体は、前記鏡筒ユニットの筒壁を覆う周面部に開口を形成しており、
該開口に前記操作部が配置してあることを特徴とするプロジェクター。
【請求項２】
投射用のレンズを移動可能に納めてある鏡筒ユニットと、天面部及び側面部を有して前記鏡筒ユニットを覆う筐体と、前記レンズの移動に係る操作を受け付ける移動可能な操作部とを備えるプロジェクターにおいて、
前記筐体は、前記側面部に開口を形成しており、
前記開口に前記操作部が配置してあることを特徴とするプロジェクター。
【請求項３】
前記操作部は複数であり、
前記筐体は、前記天面部に天側開口を形成しており、
前記天側開口に前記操作部が配置してある請求項２に記載のプロジェクター。
【請求項４】
前記操作部の移動を前記鏡筒ユニットへ伝動する伝動部材を備える請求項２又は請求項３に記載のプロジェクター。
【請求項５】
前記操作部の周囲の筐体表面に操作キーが設けてある請求項１乃至請求項４のいずれか１つに記載のプロジェクター。
【発明の詳細な説明】
【技術分野】
【０００１】
本発明は、投射される画像の光を遮らないように、投射に係る調整操作（ズーム・フォーカス）を容易に行えるようにしたプロジェクターに関する。
【背景技術】
【０００２】
従来、スクリーンに画像表示を行うプロジェクターが存在し、このようなプロジェクターは外形サイズ的に重量及び寸法が大きい据置タイプと、重量及び寸法が据え置きタイプに比べて小さい携帯タイプに大別される。また、プロジェクターは、スクリーンへ投射表示される画像の大きさ及び焦点を最適にするためズーム、フォーカスの調整が可能になっており、このような調整をユーザの手動操作で行う機種には調整用レバーが設けられている。
【０００３】
図７は、従来の携帯型のプロジェクター１を示している。このプロジェクター１は、六面体の筐体２を備えると共に、筐体２の前面部２ａには投射レンズ３を配置し、投射レンズ３の周囲にズーム調整用の操作レバー４ａを回動可能に設けている。なお、図７では、操作レバー４ａの回動範囲を示すため、上端位置、中間位置、及び下端位置の計３箇所で操作レバー４ａを示しているが、実際の操作レバー４ａは１個である。また、プロジェクター１は、筐体２の天面部２ｂには複数の操作キーを配置している。
【０００４】
図８は、筐体内部の光学系のユニットを示し、操作レバー４ａを突設した環状部材４を投射レンズ３を含む鏡筒ユニット５から分解した状態を表しており、また、図９は環状部材４を鏡筒ユニット５に取り付けた状態を示す（図９でも図７と同様に、操作レバー４ａを３箇所で示している）。環状部材４は、鏡筒ユニット５を覆うように取り付けられ、周壁部４ｂには投射レンズ３の光軸に平行な長穴状のカム溝４ｃを設けている。なお、鏡筒ユニット５は、表出する投射レンズ３以外に複数のレンズを移動可能に納めており、これらのレンズの位置を適宜移動することでズーム機能を実現している。
【０００５】
また、鏡筒ユニット５は、筒壁５ａの外周面を斜めに横切るガイド溝５ｂを形成すると共に、ガイド溝５ｂに沿って移動するズームシャフト（突起）５ｃを設けており、ズームシャフト５ｃが移動することで、鏡筒ユニット内部のレンズが移動する。環状部材４が鏡筒ユニット５に取り付けられると、図９に示すようにズームシャフト５ｃがカム溝４ｃに収まり、操作レバー４ａの操作により環状部材４が回動することで、ズームシャフト５ｃがガイド溝５ｃに沿って移動し、ズーム調整が行われる。
【０００６】
なお、据置型のプロジェクターでは、寸法規制の束縛が小さいため、レンズ位置の調整に対して図８、９に示す構成を用いるのではなく、鏡筒ユニットにスクリュー式（ねじ式）の回動部を設けると共に、その回動部と一緒に回動する操作レバーを設けたものが存在する（特許文献１参照）。
【特許文献１】特開２００４−８５７２６号公報
【発明の開示】
【発明が解決しようとする課題】
【０００７】
図７〜９に示す従来のプロジェクター１は、操作レバー４ａが筐体２の前面２ａにおける投射レンズ３の周囲に設けられている。そのため、操作レバー４ａを操作する際、ユーザが筐体２の前面２ａまで手を伸ばす必要があるため、プロジェクター１の後方にユーザが位置する場合などでは、ズーム調整のために不自然な姿勢が強いられると云う問題がある。しかも、ズーム調整の際、投射される画像の光をできるだけ遮らないようにユーザは操作レバー４を操作する手の動きにまで気を配らねばならず、ズーム調整に対する操作性及び使い勝手が良好でない問題がある。
【０００８】
一方、特許文献１に係るプロジェクターでは、投射レンズの筐体天面側に凹部を設けて、その凹部内にズーム及びフォーカス調整用の操作レバーを配置しているので、図７〜９に示すプロジェクター１に比べて若干操作性が向上している。しかし、特許文献１に係るプロジェクターは据置型であるため、レンズ位置の移動に係る機構及び操作レバーの配置形態の自由度が大きいため、このような構成を小型化が要求される携帯型のプロジェクター１へそのまま適用できない。また、特許文献１に係るプロジェクターでは筐体天面側のレンズユニットに対応する箇所に操作レバーのストローク量を確保するために大きく開いた凹部を設けているので、凹部においてはレンズユニットを筐体で保護できない。そのため、携帯型のプロジェクター１では、持ち運び時に周囲のものと衝突する危険性がつきまとうため、大きく開いた凹部を有する構成を採用できない。
【０００９】
本発明は、斯かる問題に鑑みてなされたものであり、投射レンズの保護性を確保した上で、投射レンズの調整に係る操作性を向上させたプロジェクターを提供することを目的とする。
【課題を解決するための手段】
【００１０】
上記課題を解決するために本発明に係るプロジェクターは、投射用のレンズを移動可能に納めており、該レンズの移動に伴ってレンズの光軸方向に変位する突起を有する鏡筒ユニットと、該突起に連係してある操作部と、前記鏡筒ユニットを覆う筐体とを備えるプロジェクターにおいて、前記筐体は、前記鏡筒ユニットの筒壁を覆う周面部に開口を形成しており、該開口に前記操作部が配置してあることを特徴とする。
【００１１】
本発明にあっては、携帯型で採用される場合が多いレンズ調整機構（操作部で突起を変位させてレンズ移動を行う機構）を適用するプロジェクターに対して、筐体の周囲部に開口を形成すると共に、その開口に操作部を配置するので、投射レンズを含む鏡筒ユニットが筐体で確実に保護された上で、ユーザは無理なく操作部に触れることが可能となり、操作性を向上できる。なお、開口部が設けられる周面部には、例えば筐体が六面体であれば、投射レンズを配置する前面部及び前面部に対向する背面部を除いた、天面部、底面部及び両側の側面部が含まれる。また、筐体がエッジのある六面体でなくラウンドした周面を有する場合、天面部、底面部及び両側の側面部のそれぞれに対応するような箇所が周面部に該当する。
【００１２】
本発明に係るプロジェクターは、投射用のレンズを移動可能に納めてある鏡筒ユニットと、天面部及び側面部を有して前記鏡筒ユニットを覆う筐体と、前記レンズの移動に係る操作を受け付ける移動可能な操作部とを備えるプロジェクターにおいて、前記筐体は、前記側面部に開口を形成しており、前記開口に前記操作部が配置してあることを特徴とする。
【００１３】
本発明にあっては、レンズ調整機構を限定することなく筐体の側面部に開口を設けて、その開口に操作部を配置するので、ユーザは筐体の前面にまで手を伸ばすことなく操作部に触れることができる。さらに、側面部の開口に操作部を配置することで、レンズ調整の操作を行う際に投射される画像の光を遮ることなくなるため、レンズ調整に係る操作負担を低減でき、特にユーザがプロジェクターの側面部の方に位置したとき、スムーズに操作部を操作できる。なお、側面部の開口に操作部を配置した場合でも、鏡筒ユニットは筐体で周囲が覆われるので良好な保護性が確保される。
【００１４】
本発明に係るプロジェクターは、前記操作部は複数であり、前記筐体は、前記天面部に天側開口を形成しており前記天側開口に前記操作部が配置してあることを特徴とする。
本発明にあっては、複数の操作部を天面部と側面部に配置するので、ユーザは最も近い箇所にある操作部に対して操作を行えばよく、操作性を一段と向上できる。
【００１５】
本発明に係るプロジェクターは、前記操作部の移動を前記鏡筒ユニットへ伝動する伝動部材を備えることを特徴とする。
本発明にあっては、操作部と鏡筒ユニットの間に伝動部材を設けるので、操作部と鏡筒ユニットの距離が寸法的に離れても、操作部の移動によりレンズ位置調整を行えるようになり、操作部の配置レイアウトの自由度を高くできる。なお、伝動部材としては歯車、リンク部材などが相当する。
【００１６】
本発明に係るプロジェクターは、前記操作部の周囲の筐体表面に操作キーが設けてあることを特徴とする。
本発明にあっては、操作部の周囲に操作キーを設けるので、操作部及び操作キーを同時に触れることも可能となり、操作キーを操作しながら操作部を操るようなことも行えるため、プロジェクターの全体的な操作性を向上できる。
【発明の効果】
【００１７】
本発明にあっては、操作部で突起を変位させてレンズ移動を行う機構を採用するプロジェクターの筐体の周面部に形成した開口に操作部を配置するので、鏡筒ユニットの保護を確保した上で、レンズ位置の調整に係る操作性を向上できる。
また、本発明にあっては、プロジェクターの筐体の側面部に形成した開口に操作部を配置するので、筐体で鏡筒ユニットを確実に保護すると共に、レンズ位置の調整に係る操作を筐体の側方からスムーズに行える。
【００１８】
本発明にあっては、複数の操作部を天面部と側面部にそれぞれ配置するので、プロジェクターに対してユーザがどのような方向に位置しても、直近の操作部でレンズに係る調整を行えるようになり、操作性を一段と向上できる。
また、本発明にあっては、操作部と鏡筒ユニットの間に伝動部材を設けるので、操作部の配置レイアウトの自由度を高くできる。
さらに、本発明にあっては、操作部の周囲に操作キーを設けるので、操作キーを操作しながら操作部を操るようなことも可能となり、プロジェクターの全体的な操作性を向上できる。
【発明を実施するための最良の形態】
【００１９】
図１は、本発明の実施形態に係る携帯型のプロジェクター１を示している。プロジェクター１は、六面体の箱状である筐体２の前面部１２ａに設けた孔１２ｄに投射レンズ１３を配置すると共に、筐体２の周面部の一つである天面部１２ｂの略中央に設けた矩形状の開口１２ｃ内にズームツマミ（操作部に該当）１４ｂを配置している。なお、プロジェクター１の筐体２は、天面部１２ｂに対向する底面部１２ｅに支持脚１１を突設し、プロジェクター１を適正な姿勢で配置できるようにしている。
【００２０】
図２は、筐体２に納められた光学系のユニットを示し、ズームツマミ１４ａを設けた摺動部材１４及び円筒壁状の摺動ベース部材１６を、投射レンズ１３を含む鏡筒ユニット１５から分解した状態を表している。鏡筒ユニット１５は、投射レンズ１３の他に複数のレンズを納めており、各レンズが移動できるようにしてスクリーンに投射される画像の寸法を調整（ズーム調整）できるようにしている。また、鏡筒ユニット１５は、ズーム調整の際に各レンズと共に移動変位するズームシャフト１５ｃ（突起に相当）を有し、ズームシャフト１５ｃは、投射レンズ１３とは反対側の筒壁１５ａの端部側に設けた長穴１５ｂに沿って投射レンズ１３の光軸方向（図２中のＡ、Ｂ方向）と平行に移動可能になっている。
【００２１】
なお、鏡筒ユニット１５は、摺動ベース部材１６を取り付けるための鍔部１５ｄを突設し、この鍔部１５ｄにネジ穴１５ｅを穿設している。また、プロジェクター１は、鏡筒ユニット１５の投射レンズ１３と反対側の端に、投射用の画像を表す変調光を生成するＤＭＤ(Digital Micromirror Device：登録商標)、液晶パネルのような変調光生成素子を配置している。
【００２２】
一方、摺動ベース部材１６は、鏡筒ユニット１５から突出するズームシャフト１５ｃを挿通させる穴部１６ｄを設けた円弧状の摺動壁部１６ａの両側に摺動部材１４のガイド部１６ｂ、１６ｃを立設している。なお、摺動壁部１６ａは、長手方向の端部にネジＮを挿通する挿通穴１６ｆを設けたフランジ部１６ｅを突設している。
【００２３】
また、摺動部材１４は、曲板状の部材であり、摺動ベース部材１６の摺動壁部１６ａに倣う曲板部１４ｂの一側部に沿ってズームツマミ１４ａを立設し、曲板部１４ｂには投射レンズ１３の光軸に対して斜め方向へ延設するガイド溝穴１４ｃを形成している。ガイド溝穴１４ｃの溝巾は、鏡筒ユニット１５のズームシャフト１５ｃの外径より少しだけ大きい寸法に設定してガイド溝穴１４ｃにズームシャフト１５ｃがピッタリ収まるようにしている。なお、摺動部材１４は、摺動ベース部材１６のガイド部１６ｂ、１６ｃの間で摺動壁部１６ａの壁面に沿って摺動可能に取り付けられる。
【００２４】
図３は、摺動部材１４及び摺動ベース部材１６を鏡筒ユニット１５に取り付けた状態を示している。摺動ベース部材１６は、挿通穴１６ｆに挿通したネジＮを鏡筒ユニット１５のネジ穴１５ｅに螺合することで鏡筒ユニット１５に固定され、また、鏡筒ユニット１５から突出するズームシャフト１５ｃは、摺動ベース部材１６の穴部１６ｄを通過して摺動部材１４のガイド溝穴１４ｃに収まることで、ズームシャフト１５ｃとズームツマミ１４ａを設けた摺動部材１４が連係している。
【００２５】
ズームツマミ１４ａを図３の矢印Ｃ方向に回動すると、ズームシャフト１５ｃは図２に示す矢印Ｂ方向に移動する一方、ズームツマミ１４ａを図３の矢印Ｄ方向に回動すると、ズームシャフト１５ｃは図２に示す矢印Ａ方向に移動する。このようにズームツマミ１４ａの回動操作によりズームシャフト１５ｃが移動するため、ズームシャフト１５ｃの移動に伴い鏡筒ユニット１５内のレンズが移動してズーム調整を行える。なお、図３に示すレンズ移動に係る構成は、図２に示すズームシャフト１５ｃの投射レンズ１３の光軸に平行な移動量をガイド溝穴１４ｃの溝長さに変換対応させているので、コンパクトなレンズ移動機構において操作しやすい操作ストローク量が確保されている。
【００２６】
図３に示す鏡筒ユニット１５を含む光学系のユニットは、図１に示すように筐体１２内に収納されると、ズームツマミ１４ａのみが天面部１２ｂの開口１２ｃに収まって表出し、鏡筒ユニット１５は筐体１２で覆われて確実に保護される。なお、この際、鏡筒ユニット１５の筒壁１５ａは天面部１２ａ、底面部１２ｅ及び左右の側面部で構成される周面部で覆われる。
【００２７】
さらに、プロジェクター１０は、筐体２の天面部１２ｂの表面でズームツマミ１４ａの周囲となる箇所に第１操作キー１９ａ、上下左右キー１９ｂ、決定キー１９ｃ及び第２操作キー１９ｄと云うように計４個の操作キーを設けている。各操作キー１９ａ〜１９ｄと、ズームツマミ１４ａとの間隔は、一般的な成人が一方の手の各指をそれぞれ用いて同時に操作できる距離に設定している。なお、各キーは、プロジェクター１０の画質調整、音量調整等を行う電気的な操作キーであり、ズームツマミ１４ａの周囲に操作キー１９ａ〜１９ｄを配置することで、ユーザが各操作キー１９ａ〜１９ｄを操作しながらズームツマミ１４ａを回動させてズーム調整を行うことも可能となり、プロジェクター１０の全体的な操作性を向上させている。
【００２８】
また、ズームツマミ１４ａは、投射レンズ１３が配置された筐体１２の前面部１２ａから離れた箇所（天面部１２ｂの略中央）に位置するので、投射レンズ１３を遮ることがなくズームツマミ１４ａを容易に操作できる。なお、上述した説明では、携帯型のプロジェクター１０に本発明の構成を適用した場合で説明したが、本発明は据置型のプロジェクターにも勿論適用可能である。また、本発明は上述した形態に限定されるものではなく、種々の変形例が存在する。
【００２９】
図４（ａ）は、変形例のプロジェクター２０を示し、このプロジェクター２０は図中の矢印Ａ、Ｂ方向に移動可能なズーム調整用の操作ノブ２４（操作部に相当）を天面部２２ｂに形成した開口２２ｃに設けたことが特徴である。なお、開口２２ｃは筐体２２の前面部２２ａに配置した投射レンズ２３の光軸方向に沿って延伸する長穴形状になっている。プロジェクター２０の光学系のユニットにおけるズーム調整機構は、図４（ｂ）に示すように、図２〜３に示す摺動部材１４及び摺動ベース部材１６を省略すると共に、鏡筒ユニット２５の筒壁２５ａから突出するズームシャフト２５ｃの先端に操作ノブ２４から突出する係合部２４ａに係合して、操作ノブ２４と共にズームシャフト２５ｃが連係移動するようにしている。
【００３０】
そのため、操作ノブ２４を、図４（ａ）中の矢印Ａ、Ｂ方向に移動させることでズームシャフト２５ｃが長穴２５ｂに沿って移動してズーム調整可能となり、鏡筒ユニット内のレンズ位置調整を一段と簡易な構成で行うことができる。なお、この変形例でも操作ノブ２４の周囲に各操作キー２９ａ〜２９ｄを配置して全体的な操作性を向上させている。
【００３１】
図５は、別の変形例のプロジェクター３０を示し、投射レンズ３３、ズームツマミ３４ａ及び各操作キー３９ａ〜３９ｄを筐体３２の一方の側面部３２ｆに近づくようにオフセット配置すると共に、側面部３２ｆにも開口３２ｇを設け、その開口３２ｇ内に側部ズームツマミ３７ａ（操作部に相当）を設けたことを特徴とする。なお、天面部３２ｂには天側開口３２ｃを設けて、その天側開口３２ｃにズームツマミ３４ａを配置している。このように、変形例のプロジェクター３０は、天面部３２ｂと側面部３２ｆの両方に操作用のズームツマミ（３４ａ、３７ａ）を有するので、天面部３２ｂと側面部３２ｆの両方でズーム調整を行えるようにして、ズーム調整に対する操作性を高めている。
【００３２】
図６は、筐体３２内のズーム調整に係る機構を示しており、ズームツマミ３４ａに係る構成は、図２、３に示すものと基本的に同様である。一方、側部ズームツマミ３７ａに関する構成としては、中央部３７ｃを通る第１中心軸４０ａを中心に回転可能な回動部材３７を設け、その回動部材３７に設けた第１ギヤ部３７ｂの一面３７ｄに円盤状の側部ズームツマミ３７ａを一体的に取り付けている。また、プロジェクター３０は、第１ギヤ部３７ｂに噛合する第２ギヤ３８（伝動部材に相当）を、中央部３８ａを通る第２中心軸３９ｂを中心に回転可能に設けている。さらに第２ギヤ３８の周囲のギヤ部３８ｂに噛合するように、摺動部材３４の曲板部３４ｂの表面に円弧ギヤ部３４ｄに設けている。
【００３３】
なお、この変形例における摺動部材３４及び摺動ベース部材３６は、第２ギヤ３８を介して側部ズームツマミ３７ａの操作を摺動部材３４へ伝動するため、摺動部材３４及び摺動ベース部材３６の形状の一部、及び鏡筒ユニット３５への取り付け方を図２、３に示す構成と少し変更している。詳しくは、摺動ベース部材３６は、第２ギヤ３８側も鏡筒ユニット３５の周面を覆う形状になっており、それに伴い、摺動部材３４も曲板部３４ｂを延出すると共に、その延出した箇所に円弧ギヤ部３４ｄを設けている。
【００３４】
よって、変形例のプロジェクター３０では、側部ズームツマミ３７ａを図６中の矢印Ｅ、Ｆ方向に回動すると、その回動が第２ギヤ３８を介して摺動部材３４に伝わって、摺動部材３４が摺動ベース部材３６上を摺動するため、ズーム調整が行える。なお、図５、６では、筐体３２の一方の側面部３２ｆに側部ズームツマミ３７ａを設けているが、伝動用のギヤを他方の側面部の方にも設けることで、他方の側面部にも側部ズームツマミを設けることが可能である。また、鏡筒ユニット３５と筐体３２の側面部３２ｆとの間隔が近い場合は、第２ギヤ３８を省略して側部ズームツマミ３７ａを有する第１ギヤ部３７ｂを直接的に摺動部材３４の円弧ギヤ部３４ｄに噛合させてもよい。さらに、筐体３２の２つの側面部のいずれかに側部ズームツマミ３７ａを設けた場合は、天面部３２のズームツマミ３４ａを省略することも可能であり、この場合は複数の操作キー３９ａ〜３９ｄも側部ズームツマミ３７ａの周囲に配置することが好ましい。
【００３５】
なお、図１〜６に示した例では、投射用のレンズの位置を移動させてズーム調整を行う場合で説明しているが、図１〜６に示した構成をフォーカス調整用の操作部に適用することも可能であり、ズーム調整及びフォーカス調整の両方の操作部を併設することも勿論可能である。
【図面の簡単な説明】
【００３６】
【図１】本発明の実施形態に係るプロジェクターの外観を示す斜視図である。
【図２】プロジェクター内部のレンズ位置調整に係る部材の分解状態を示す斜視図である。
【図３】調整用の部材を組み込んだ状態を示す斜視図である。
【図４】（ａ）は変形例のプロジェクターの外観を示す斜視図、（ｂ）は変形例の光学系のユニットを示す斜視図である。
【図５】天面部と側面部にズームツマミを配置した変形例のプロジェクターの外観を示す斜視図である。
【図６】二つのズームツマミを配置したレンズ位置の調整に係る機構を示す斜視図である。
【図７】従来のプロジェクターの外観を示す斜視図である。
【図８】従来の光学系のユニットの分解状態を示す斜視図である。
【図９】従来の光学系の操作レバーを組み込んだ状態を示す斜視図である。
【符号の説明】
【００３７】
１０  プロジェクター
１１  支持脚
１２  筐体
１２ｂ  天面部
１２ｃ  開口
１４  摺動部材
１４ａ  ズームツマミ
１５  鏡筒ユニット
１６  摺動ベース部材
１９ａ〜１９ｄ  操作キー
【図１】
2007187798.tif 000003
【図２】
2007187798.tif 000004
【図３】
2007187798.tif 000005
【図４】
2007187798.tif 000006
【図５】
2007187798.tif 000007
【図６】
2007187798.tif 000008
【図７】
2007187798.tif 000009
【図８】
2007187798.tif 000010
【図９】
2007187798.tif 000011